(57)【要約】【課題】  カールや罫線割れが発生しにくくて、形状を安定に維持することができる記録材料用の個装箱を提供すること。【解決手段】  ライナーと中芯を接着剤で接着した段ボールから構成される記録材料用の個装箱であって、前記ライナーと前記中芯との接着部がウエーブ段の波形をしていることを特徴とする記録材料用の個装箱。【選択図】    なし【特許請求の範囲】
【請求項１】
ライナーと中芯を接着剤で接着した段ボールから構成される記録材料用の個装箱であって、前記ライナーと前記中芯との接着部がウエーブ段の波形をしていることを特徴とする記録材料用の個装箱。
【請求項２】
前記ライナーと前記中芯との接着部がピッチ１５〜５０ｍｍの波形をしていることを特徴とする請求項１に記載の記録材料用の個装箱。
【請求項３】
前記中芯の段数が３００ｍｍあたり４８〜９４であることを特徴とする請求項１または２に記載の記録材料用の個装箱。
【請求項４】
前記中芯の坪量が６０〜３００ｇ／ｍ2であることを特徴とする請求項１〜３のいずれか１項に記載の記録材料用の個装箱。
【請求項５】
前記段ボールが前記中芯の両面にライナーを接着させた構造を有することを特徴とする請求項１〜４のいずれか１項に記載の記録材料用の個装箱。
【請求項６】
前記記録材料が熱現像感光材料または感熱記録材料であることを特徴とする請求項１〜５のいずれか１項に記載の記録材料用の個装箱。
【発明の詳細な説明】
【技術分野】
【０００１】
本発明は、記録材料用の個装箱に関する。特に、医療用記録材料を包装するための個装箱に関する。
【背景技術】
【０００２】
医療用感光材料などの記録材料は、通常は個装箱の中に収納した後、さらにその個装箱を複数個まとめて外装箱に収納した状態で運搬される。例えば、熱現像感光材料や感熱記録材料などのシート状記録材料であれば、その複数枚を当てボールなどに接触させた状態で遮光性袋内に密封し、その密封袋を個装箱の中に収納し、さらに５個程度の個装箱をまとめて外装箱に収納して運搬している。
【０００３】
このような個装箱には、ＢフルートからＥフルートの平行段の段形状を有する中芯を用いた段ボールが使用されている。しかしながら、これらの段ボールを用いて品質が安定した個装箱を製造するには、カールや罫線割れが発生しにくい段ボール原紙を特に選択して使用しなければならず、また、運搬時の多段積みや取扱い時の落下や衝撃に耐えうる強度を実現するためには強度が高い段ボール原紙を特に選択して使用しなければならなかった。このため、製造コストがかかるという問題があった。
【０００４】
このような問題に対処するために、特開平８−３３４８６７号公報（特許文献１）にて、層構成と材料に特徴を有する段ボール原紙が提案された。この段ボール原紙は複数の層からなり、表面層にバージンパルプを５０％以上含有させ、それ以外の層に古紙を５０％以上含有させている点に特徴がある。しかしながら、バージンパルプは高価であることから製造コストの低減化を十分に達成することができない。また、古紙が混ざっていることから、倉庫などに保管するために多段積みをしたときに上下方向にかかる圧力に十分に耐えることができない。さらに、バージンパルプと古紙による層構成を有することから、段ボール原紙のカールを十分に防ぐことができないという問題もあった。
【０００５】
【特許文献１】特開平８−３３４８６７号公報
【発明の開示】
【発明が解決しようとする課題】
【０００６】
本発明は、従来の記録材料用の個装箱が直面していた上記の課題を解決することを目的とした。すなわち本発明は、カールや罫線割れが発生しにくくて、形状を安定に維持することができる記録材料用の個装箱を提供することを目的とした。また本発明は、多段積みをしたときに上下方向にかかる圧力に十分に耐えることができて、落下や衝撃に対する耐久性が高い記録材料用の個装箱を提供することも目的とした。
【課題を解決するための手段】
【０００７】
本発明者は鋭意検討を重ねた結果、記録材料用の個装箱に用いる段ボール原紙の構造に特徴を持たせることにより目的を達成しうることを見出して、以下の構成を有する本発明を提供するに至った。
【０００８】
（１）  ライナーと中芯を接着剤で接着した段ボールから構成される記録材料用の個装箱であって、前記ライナーと前記中芯との接着部がウエーブ段の波形をしていることを特徴とする記録材料用の個装箱。
（２）  前記ライナーと前記中芯との接着部がピッチ１５〜５０ｍｍの波形をしていることを特徴とする（１）に記載の記録材料用の個装箱。
（３）  前記中芯の段数が３００ｍｍあたり４８〜９４であることを特徴とする（１）または（２）に記載の記録材料用の個装箱。
（４）  前記中芯の坪量が６０〜３００ｇ／ｍ2であることを特徴とする（１）〜（３）のいずれか１項に記載の記録材料用の個装箱。
（５）  前記段ボールが前記中芯の両面にライナーを接着させた構造を有することを特徴とする（１）〜（４）のいずれか１項に記載の記録材料用の個装箱。
（６）  前記記録材料が熱現像感光材料または感熱記録材料であることを特徴とする（１）〜（５）のいずれか１項に記載の記録材料用の個装箱。
【発明の効果】
【０００９】
本発明の記録材料用の個装箱は、カールや罫線割れが発生しにくくて、長方体等の形状を安定に維持することができる。また、本発明の記録材料用の個装箱は、多段積みをしたときに上下方向にかかる圧力に十分に耐えることができて、落下や衝撃に対する耐久性も高い。
【発明の実施の形態】
【００１０】
以下において、本発明の記録材料用の個装箱について詳細に説明する。なお、本明細書において「〜」を用いて表される数値範囲は、「〜」の前後に記載される数値を下限値および上限値として含む範囲を意味する。
【００１１】
本発明の記録材料用の個装箱は、ライナーと中芯を接着剤で接着した段ボールから構成される。その特徴は、ライナーと中芯との接着部がウエーブ段の波形をしていることにある。
図１は、本発明の記録材料用の個装箱を構成する段ボールの構造の一例を示す斜視図である。下側ライナー１の上に中芯２が接着されており、その接着部３は図示するようにウエーブ段の波形をしている。また、中芯２の上にはさらに上側ライナー４が接着されており、その接着部３’も図示するようにウエーブ段の波形をしている。図１では、中芯の形状を把握しやすくするために、上側ライナー４の右半分を除去した状態を図示している。なお、本明細書においてウエーブ段とは、図１に示すようにほぼ同形の波形がほぼ一定の間隔を隔てて周期的に形成されている状態をいう。
【００１２】
接着部の波形は規則正しい周期を有するものであることが好ましく、そのピッチＰは１５〜５０ｍｍであることが好ましく、１７〜４０ｍｍであることがより好ましく、２０〜３０ｍｍであることがさらに好ましい。また、接着部の波形の高さＨは、中芯のピッチＷの０．５〜１．５倍であることが好ましく、０．７〜１．３倍であることがより好ましく、０．８〜１．２倍であることがさらに好ましい。このような範囲で中芯の波形を形成すれば、カールや罫線割れがより発生しにくくて、圧縮強度や衝撃安定性がより高い記録材料用の個装箱を提供することができる。
【００１３】
下側ライナー１と中芯２との接着部３と、上側ライナー４と中芯２との接着部３’は、同じピッチと高さを有する波形であることが好ましい。また、接着部３の各波形と接着部３’の各波形は、それぞれ規則正しく配列していることが好ましい。このような構成にすることによって、個装箱にかかる負荷を広く分散させることができ、圧縮強度や衝撃安定性をより高めることができる。
【００１４】
中芯２の段数は３００ｍｍあたり４８〜９４であることが好ましく、５３〜８６であることがより好ましく、５８〜７８であることがさらに好ましい。また、中芯２の段の高さは１．０〜３．０ｍｍであることが好ましく、１．２〜２．４ｍｍであることがより好ましく、１．４〜１．８ｍｍであることがさらに好ましい。段ボール原紙の断面を観察したときに、下側ライナー１と中芯２で構成される三角形と、中芯２と上側ライナー４で構成される三角形は、それぞれ正三角形に近いことが好ましい。
【００１５】
本発明において用いることができる段ボール原紙の構造は、図１のように中芯の上下にライナーを有する両面段ボール原紙に限定されない。例えば、中芯の上下一方のみにライナーを有する片面段ボール原紙を採用してもよい。また、中芯／ライナー／中芯／ライナーの構造を有するものや、ライナー／中芯／ライナー／中芯／ライナーの構造を有するものを採用することもできる。
【００１６】
本発明で用いる段ボール原紙が複数の中芯を有する場合は、各中芯の材質や構造は同一であっても異なっていてもよい。例えば、中芯の山数や山の高さを変えてもよいし、波形のピッチや高さを変えてもよい。また、波形の形成方向を変えても構わない。例えば、第１段目の中芯は一方向に波形を形成し、第２段目はそれと直交する方向に波形を形成してもよい。あるいは、第１段目の中芯は一方向に波形を形成し、第２段目はそれと１２０°の方向に波形を形成し、さらに第３段目は第２段目と１２０°の方向に波形を形成してもよい。このような構成を取ることにより、様々な方向からの負荷に対して強度を維持することができる。
【００１７】
本発明で用いる段ボール原紙が複数のライナーを有する場合、各ライナーの材質や構造は同一であっても異なっていてもよい。例えば、個装箱の外側になるライナーには、より強度が強くて破断しにくい材質からなるライナーを使用し、個装箱の内側になるライナーには比較的安価なライナーを使用してもよい。また、必要に応じてライナーの表面にコーティングや印刷を施しても構わない。例えば、撥水性ポリマーをコーティングしたり、装填する記録材料に関する情報を印刷することができる。
【００１８】
中芯やライナーの材質や原料は特に制限されない。具体的にはメカニカルパルプ、ケミカルパルプ、セミケミカルパルプなどを用いることができ、古紙パルプのようなセルロースパルプを適宜混入させて用いてもよい。通常は、針葉樹パルプ、広葉樹パルプ、これらの混合パルプなどの天然木材パルプが用いられる。例えば、マツ１００％のパルプなどに代表される針葉樹クラフトパルプ（ＮＢＫＰ）や広葉樹クラフトパルプ（ＬＢＫＰ）などが好ましく用いられる。本発明で用いる段ボール原紙は、漂白されたものであってもよいし、漂白されていないものであってもよい。漂白された原紙を用いる場合は、ＥＣＦ方式で漂白したものを用いることが好ましい。
【００１９】
本発明で用いる段ボール原紙は、叩解機などで叩解して繊維を切断することにより繊維長分布を適宜調整したものであってもよい。繊維長分布は、叩解機の処理量や圧力を調節することによって所望の範囲に調整することができる。
また、通常の段ボール原紙製造工程で用いられる化合物を適宜用いることができる。例えば、アルキルケテンダイマーなどのサイズ剤、カチオン澱粉やポリマーなどの定着剤などを用いてもよい。
【００２０】
抄紙方法については、特に制限されない。従来から用いられている抄紙方法を適宜選択して用いることができる。抄紙機としては、円網抄紙機や長網抄紙機を用いることができるが、長網抄紙機を用いることが好ましい。
【００２１】
本発明で用いる段ボール原紙の坪量は、６０〜４００ｇ／ｍ2であることが好ましく、８０〜３００ｇ／ｍ2であることがより好ましく、１００〜２００ｇ／ｍ2であることがさらに好ましい。
【００２２】
また、ライナーと中芯を接着するために用いられる接着剤の種類も特に制限されない。通常の段ボールに用いられている接着剤の中から適宜選択して使用することができる。
【００２３】
本発明の記録材料用の個装箱は、記録材料を収納することができる構造であれば、その詳細は特に制限されない。具体的な構造は、収納する記録材料の種類や個数、運搬や保存形態などによって適宜決定することができる。また、従来から用いられている個装箱の構造の中から適宜選択して採用してもよい。
【００２４】
個装箱の好ましい具体例として、本体と蓋体とが当初は一体となっている個装箱であって、本体と蓋体を連結するリッパー部を横方向に引き取ることにより蓋体が本体に対して回動可能となり蓋体を開放できるようになっているものを例示することができる。この個装箱は１枚の段ボール原紙を折ることによって組み立てることができ、蓋体の開閉も容易であることから記録材料用の個装箱として有用である。具体例は、特開平８−１１４８８９号公報などに記載されている。
【００２５】
また別の個装箱の具体例として、本体と蓋体から構成される個装箱であって、本体の上部に蓋体挿嵌部が形成されていて、そこに蓋体が挿嵌されるようになっているものを例示することができる。いわゆる印籠タイプの個装箱であり、特開平６−１８６６７９号公報などに具体例が記載されている。
【００２６】
記録材料用の個装箱は、複数個をまとめて外装箱に装填して運搬するのが一般的である。通常は個装箱を５個程度まとめて外装箱に装填して運搬する。運搬時や運搬前後の保管時には、外装箱は多段積みをされることが多く、また、荷揚げや荷下ろしの際には衝撃を受けることが多い。このような外装箱に対して加えられる圧力や衝撃は、外装箱を通して個装箱にも伝わるが、本発明の個装箱を採用していればこのような圧力や衝撃に対して内填した記録材料を十分に保護することができる。例えば、外装箱が圧力や衝撃によって、部分的に変形したり破損したりしても、本発明の内装箱が十分な強度を有しているために、記録材料に対する損傷を抑えることができる。
【００２７】
記録材料を使用する際には、外装箱から個装箱を１つずつ取り出して開封し、必要な数の記録材料を取り出して使用する。必要な数の記録材料を取り出した後に残った記録材料は、通常、再び個装箱に戻して保管する。本発明の個装箱は、圧縮強度や耐衝撃性が高いため、個装箱のうえに物を重ねて保管したり、落下させるなどして個装箱に衝撃を加えたりしても、中に入れられている記録材料を保護することができる。
【００２８】
本発明の個装箱は、記録材料を装填するために用いるが、特にシート状記録材料を装填するために用いることが好ましい。なかでも医療用の記録材料を装填することが好ましい。装填するシート状記録材料の形状は特に限定されず、例えば、正方形、長方形、円形のいずれでもよく、その厚みも制限されない。典型的な記録材料として、半切、Ｂ４、大角、六切などの定型サイズを有する記録材料を例示することができる。また、シート状記録材料は、片面にのみ記録を行うことができるものであってもよいし、両面に記録することができるものであってもよい。本発明の個装箱に好ましく装填することができるシート状記録材料として、Ｘ線撮影用のシート状記録材料を挙げることがである。また、別の観点から好ましく装填することができる記録材料を記述するならば、現像液を用いずに現像を行ういわゆるドライタイプの記録材料を挙げることがである。具体的には、熱現像感光材料や感熱記録材料を例示することができる。ドライタイプのシート状記録材料は、その特性上、外部からの圧力や衝撃の影響をより強く受ける。本発明の個装箱に装填すれば、包装やその後の運搬などによる写真性への影響を十分に抑制することができる。具体的には、記録材料の感度変化を抑制し、記録した画像に白ヌケ故障（ホワイトスポット故障）が生じる問題を回避することができる。
【００２９】
本発明の個装箱に好ましく装填することができる記録材料については、特開平２００３−２２６４３９号公報の段落番号００２２〜０１４７などに記載されている。通常は、複数枚の記録材料を重ねて当てボールなどに装填して遮光性袋に挿入し、それを個装箱に装填する。
【実施例】
【００３０】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００３１】
＜実施例１＞
図１に示すように中芯の上下にライナーを有する段ボール原紙を用いて個装箱を作成した。上下のライナーの坪量はそれぞれ１８０ｇ／ｍ2、中芯の坪量は１２０ｇ／ｍ2とした。また、中芯の波形のピッチ（Ｐ）は２５ｍｍ、高さ（Ｈ）は４．４ｍｍ、中芯の山数は３００ｍｍあたり６８、山の高さ（Ｈ’）は１．６ｍｍとした。この段ボール原紙を用いて、特開平８−１１４８８９号公報の図６に記載されるリッパー付き個装箱を作成した。個装箱のリッパー形成方向の長さは約３６５ｍｍ、それに直交する方向の長さは約４４０ｍｍ、厚みは約３０ｍｍとした。
【００３２】
＜比較例１＞
段ボール原紙としてＥフルート段ボール原紙を用いて、実施例１と同一構造の個装箱を作成した。Ｅフルート段ボール原紙は、中芯の上下にライナーを有しており、ライナーと中芯の坪量は実施例１と同じである。中芯の接着部は直線状であり、山数は３００ｍｍあたり９４である。
【００３３】
＜評価＞
実施例１と比較例１の各個装箱について、ＪＩＳ Ｐ ８１３１にしたがって箱圧縮強度を測定し、ＪＩＳ Ｚ ０２１２にしたがって破裂強さを測定した。結果は以下の表に示すとおりであった。
【００３４】
【表１】
2005320029.tif 000002
【産業上の利用可能性】
【００３５】
本発明の記録材料用の個装箱は、カールや罫線割れが発生しにくくて、形状を安定に維持することができる。また、本発明の記録材料用の個装箱は、多段積みをしたときに上下方向にかかる圧力に十分に耐えることができて、落下や衝撃に対する耐久性も高い。このため、本発明の記録材料用の個装箱は、医療用の感光材料を包装するための個装箱などとして有用であり、産業上の利用可能性も高い。
【図面の簡単な説明】
【００３６】
【図１】本発明の記録材料用の個装箱を構成する段ボールの構造の一例を示す斜視図である。
【符号の説明】
【００３７】
１    下側ライナー
２    中芯
３    接着部
３’  接着部
４    上側ライナー
【図１】
2005320029.tif 000003